(57)【要約】【課題】簡単な構造で第１ガイド部材に第２ガイド部材を押圧することのできるシート搬送装置及びこれを備えた画像形成装置並びに画像読取装置を提供する。【解決手段】シート搬送路Ｒ等を有するシート搬送部１０１を装置本体１Ａに引き出し可能とし、さらにシート搬送路Ｒのシートガイド面を構成する第１ガイド部材１１０にフック１１７を設け、このフック１１７をシート搬送路Ｒの他のシートガイド面を構成する第２ガイド部材１１１に設けた係合部１１１ａに係合させる。そして、シート搬送部１０１を引き出す際には、フック１１７を装置本体１Ａに設けられた当接部１１９ａに当接させて係合部１１１ａに係合する位置から係合部１１ａとの係合を解除する位置に移動させ、シート搬送部１０１を押し込む際には、フック１１７を当接部１１９ａに当接させて係合部１１１ａとの係合を解除する位置から係合部１１１ａに係合する位置に戻すようにする。【選択図】      図１
2004149301.tif 000002
【特許請求の範囲】
【請求項１】
シート搬送路と前記シート搬送路に配されたシート搬送手段とを有するシート搬送部を装置本体に引き出し可能に設けたシート搬送装置であって、
前記シート搬送路のシートガイド面を構成する第１ガイド部材と、
前記第１ガイド部材に対向して設けられて前記シート搬送路の他のシートガイド面を構成し、かつ該シート搬送路を開放する方向に移動可能な第２ガイド部材と、
前記第１ガイド部材又は前記第２ガイド部材に設けられたフックと、
前記第１ガイド部材又は前記第２ガイド部材の他方に設けられ、前記フックと係合する係合部と、
前記装置本体に設けられ、前記シート搬送部を引き出す際及び押し込む際に前記フックと当接する当接部と、
を備え、
前記フックは、前記シート搬送部を引き出す際に前記当接部に当接して前記係合部に係合する位置から前記係合部との係合を解除する位置に移動し、前記シート搬送部を押し込む際に前記当接部に当接して前記係合を解除する位置から前記係合部に係合する位置に戻ることを特徴とするシート搬送装置。
【請求項２】
前記フックを前記係合部との係合を解除する方向に付勢する付勢手段を備え、
前記フックは、前記シート搬送部を引き出す際、前記当接部に当接すると、該当接部に沿って上下方向に移動しながら前記付勢手段の付勢力により前記係合部との係合を解除する位置に移動し、前記シート搬送部を押し込む際、前記当接部に当接すると、前記付勢手段の付勢力に抗しながら前記係合部に係合する位置に移動することを特徴とする請求項１記載のシート搬送装置。
【請求項３】
前記シート搬送手段は前記第１ガイド部材及び前記第２ガイド部材にそれぞれ設けられ、前記フックが前記係合部に係合した状態のとき圧接する搬送部材により構成されることを特徴とする請求項１又は２記載のシート搬送装置。
【請求項４】
前記搬送部材が圧接するよう該搬送部材を加圧する加圧手段と、
前記第１ガイド部材又は前記第２ガイド部材に設けられ、前記加圧手段の加圧力に抗して前記搬送部材を離間させる離間手段と、
を備え、
前記シート搬送路を開放する際、前記離間手段により前記加圧手段の加圧力に抗して前記搬送部材を離間させながら前記第２ガイド部材を移動させることを特徴とする請求項３記載のシート搬送装置。
【請求項５】
前記シート搬送路を開放する際、前記第２ガイド部材は前記第１ガイド部材に一端を当接させながら回動し、前記離間手段は前記第１ガイド部材と前記第２ガイド部材との当接部に形成されたカム部であることを特徴とする請求項４記載のシート搬送装置。
【請求項６】
画像形成部と、前記画像形成部にシートを搬送する前記請求項１乃至５記載の何れか１項に記載のシート搬送装置とを備えたことを特徴とする画像形成装置。
【請求項７】
画像読取部と、前記画像読取部にシートを搬送する前記請求項１乃至５記載の何れか１項に記載のシート搬送装置とを備えたことを特徴とする画像読取装置。
【発明の詳細な説明】
【０００１】
【発明の属する技術分野】
本発明は、シート搬送装置及びこれを備えた画像形成装置並びに画像読取装置に関し、特にシート搬送路とシート搬送路に配されたシート搬送手段とを有するシート搬送部を装置本体に引き出し可能に設けるようにしたものに関する。
【０００２】
【従来の技術】
従来、複写機、プリンタ、ファクシミリ装置等の画像形成装置、或はスキャナ等の画像読取装置には、シートを画像形成部、或は画像読取部に搬送するシート搬送装置が設けられている。そして、このようなシート搬送装置においては、シートが詰まった時にシートを容易に取り出せるようにするため、シート搬送装置の一部を画像形成装置、或は画像読取装置（以下、画像形成装置等という）の前方に引き出し可能としたものが知られている。
【０００３】
例えば、画像形成装置の一例であるシートの両面に画像を形成することが可能な複写機には、シート搬送装置の一例として画像が形成されたシートを反転させて再度画像形成部に搬送するための両面コピー部が引き出し可能に設けられている。
【０００４】
ここで、この両面コピー部は、複写機の前方に引き出し可能な本体部と、本体部内に設けられ、片面に画像形成されたシートを反転し、再び画像形成部に送り込む両面搬送部とを備えている。さらに、この両面搬送部は、片面に画像が形成されたシートを一時収納する中間トレイの上流に配され、シートを中間トレイに搬送するための搬送通路を有する反転搬送部と、中間トレイに収納されたシートを画像形成部に送り込むための搬送通路を有する再搬送部を備えている。
【０００５】
なお、これら各搬送部は、搬送通路の上面を構成すると共に、本体部に一端が回動自在に支持された第２ガイド部材である上搬送ガイドと、上搬送ガイドに回転自在に支持された搬送コロと、再搬送通路の下面を構成する第１ガイド部材である下搬送ガイドと、下搬送ガイドに回転自在に支持された搬送コロとを有している。そして、この上下の搬送コロは圧接しており、シートはこの搬送コロにより挟持されて搬送されるようになっている。
【０００６】
ところで、このように構成された両面コピー部において、中間トレイと反転搬送部及び再搬送部との間でシートが詰まることがあり、この場合には本体部を引き出した後、搬送部の上搬送ガイドだけを持ち上げて詰まったシートを取り除くようにしている。なお、シートを取り除いた後、上搬送ガイドを閉じ、この状態で本体部が複写機本体に収容されると、上搬送ガイドが押圧され、この結果、再び搬送コロは所定の圧力で圧接するようになる（例えば、特許文献１参照）。
【０００７】
【特許文献１】
特開平１０−２１２０４９号公報
【０００８】
【発明が解決しようとする課題】
しかし、このような従来のシート搬送装置及びこれを備えた画像形成装置等においては、本体部が収容された際、上搬送ガイドを押圧することができるように、上搬送ガイドを押圧する押圧アームと、この押圧アームを支持し、その押圧力に抗する強度を持つステーを本体部に配置しなくてはならない。このため、画像形成装置等のサイズが大きくなってしまっていた。
【０００９】
更に、上搬送ガイドを押圧する際は、本体部を収納しながら上搬送ガイドを押圧する動作になるため、押圧アームと上搬送ガイドの摩擦により搬送ガイドの操作力が大きくなる傾向にあった。このため、搬送ガイドを着脱するための案内レールにはベアリング入りのスライドレールを用いなくてはならず、このようにベアリング入りのスライドレールを用いた場合にはコストアップにつながる。
【００１０】
そこで、本発明は、このような現状に鑑みてなされたものであり、簡単な構造で下搬送ガイド（第１ガイド部材）に上搬送ガイド（第２ガイド部材）を押圧することのできるシート搬送装置及びこれを備えた画像形成装置並びに画像読取装置を提供することを目的とするものである。
【００１１】
【課題を解決するための手段】
本発明は、シート搬送路と前記シート搬送路に配されたシート搬送手段とを有するシート搬送部を装置本体に引き出し可能に設けたシート搬送装置であって、前記シート搬送路のシートガイド面を構成する第１ガイド部材と、前記第１ガイド部材に対向して設けられて前記シート搬送路の他のシートガイド面を構成し、かつ該シート搬送路を開放する方向に移動可能な第２ガイド部材と、前記第１ガイド部材又は前記第２ガイド部材に設けられたフックと、前記第１ガイド部材又は前記第２ガイド部材の他方に設けられ、前記フックと係合する係合部と、前記装置本体に設けられ、前記シート搬送部を引き出す際及び押し込む際に前記フックと当接する当接部と、を備え、前記フックは、前記シート搬送部を引き出す際に前記当接部に当接して前記係合部に係合する位置から前記係合部との係合を解除する位置に移動し、前記シート搬送部を押し込む際に前記当接部に当接して前記係合を解除する位置から前記係合部に係合する位置に戻ることを特徴とするものである。
【００１２】
また本発明は、前記フックを前記係合部との係合を解除する方向に付勢する付勢手段を備え、前記フックは、前記シート搬送部を引き出す際、前記当接部に当接すると、該当接部に沿って上下方向に移動しながら前記付勢手段の付勢力により前記係合部との係合を解除する位置に移動し、前記シート搬送部を押し込む際、前記当接部に当接すると、前記付勢手段の付勢力に抗しながら前記係合部に係合する位置に移動することを特徴とするものである。
【００１３】
また本発明は、前記シート搬送手段は前記第１ガイド部材及び前記第２ガイド部材にそれぞれ設けられ、前記フックが前記係合部に係合した状態のとき圧接する搬送部材により構成されることを特徴とするものである。
【００１４】
また本発明は、前記搬送部材が圧接するよう該搬送部材を加圧する加圧手段と、前記第１ガイド部材又は前記第２ガイド部材に設けられ、前記加圧手段の加圧力に抗して前記搬送部材を離間させる離間手段と、を備え、前記シート搬送路を開放する際、前記離間手段により前記加圧手段の加圧力に抗して前記搬送部材を離間させながら前記第２ガイド部材を移動させることを特徴とするものである。
【００１５】
また本発明は、前記シート搬送路を開放する際、前記第２ガイド部材は前記第１ガイド部材に一端を当接させながら回動し、前記離間手段は前記第１ガイド部材と前記第２ガイド部材との当接部に形成されたカム部であることを特徴とするものである。
【００１６】
また本発明は、画像形成装置において、画像形成部と、前記画像形成部にシートを搬送する上記の何れかに記載のシート搬送装置とを備えたことを特徴とするものである。
【００１７】
また本発明は、画像読取装置において、画像読取部と、前記画像読取部にシートを搬送する上記の何れかに記載のシート搬送装置とを備えたことを特徴とするものである。
【００１８】
【発明の実施の形態】
以下、本発明の実施の形態について図面を用いて詳細に説明する。
【００１９】
図２は、本発明の実施の形態に係るシート搬送装置を備えた画像形成装置の一例である複写機の概略構成を示す図である。
【００２０】
同図において、１は複写機、１Ａは複写機本体（以下、装置本体という）であり、この複写機１は、装置本体１Ａの上部に設けられた画像読取部１Ｂと、画像読取部１Ｂの下方に配置された画像形成部１Ｃと、画像形成部１ＣにシートＳを給送するシート給送部１Ｄとを備えている。
【００２１】
ここで、画像読取部１Ｂは、装置本体１Ａの上面に固定して設けられた透明ガラス板からなる原稿台２と、原稿台２の所定の位置に画像面を下向きにして載置された原稿Ｇを押圧固定する原稿圧着板３と、原稿台２の下方に設けられ、原稿Ｇを照明するランプ４、照明した原稿Ｇの光像を感光ドラム１２に導くための反射ミラー５〜１０及び結像レンズ１１とからなる光学系が設けられている。なお、ランプ４及び反射ミラー５〜７は矢印ａ方向に所定の速度で移動して原稿Ｇを走査するようになっている。
【００２２】
画像形成部１Ｃは、感光ドラム１２と、感光ドラム１２の表面に均一な帯電を施すための帯電器１３と、帯電器１３により帯電された感光ドラム１２の表面に光学系から照射される光像により形成された静電潜像を現像してトナー像を形成するための現像器１４と、感光ドラム１２の表面に現像されたトナー像をシートＳに転写するための転写帯電器１９と、トナー像が転写されたシートＳを感光ドラム１２から分離するための分離帯電器２０と、トナー像を転写した後、感光ドラム１２に残留したトナーを除去するためのクリーナ２６等を備えている。
【００２３】
なお、画像形成部１Ｃの下流側にはトナー像が転写されたシートＳを搬送するための搬送部２１と、搬送部２１により搬送されるシートＳ上のトナー像を永久画像としてシートＳに定着するための定着器２２と、定着器２２でトナー像が定着されたシートＳを装置本体１Ａから排出するための排出ローラ２４が設けられており、さらに、装置本体１Ａの外側には排出ローラ２４で排出されたシートＳを受け取るための排出トレイ２５が設けられている。
【００２４】
シート給送部１Ｄは、シートＳを収納する給紙カセット３２及び給紙デッキ３０と、給紙カセット３２及び給紙デッキ３０に収納されているシートＳを１枚ずつ分離して送り出す給送装置３４〜３７と、手差し給紙ユニット１０２とを備えている。なお、シート給送部１Ｄの下流には、シート給送装置３４〜３７により送り出されたシートＳを、シート先端を揃えた後所定のタイミングで感光ドラム１２と転写帯電器１９とにより構成される転写部に搬送するレジストローラ対８１等を備えたシート搬送装置１Ｅが設けられている。
【００２５】
次に、このような構成の複写機１における画像形成動作について説明する。
【００２６】
シートＳに画像を形成する場合は、まず原稿台２上に原稿Ｇをセットし、この後、コピーボタンを押すと、原稿Ｇに対してランプ４から光が照射され、この照射光は原稿Ｇに当たって反射し、この後、この反射光は反射ミラー５〜１０及び結像レンズ１１を経て帯電器１３により帯電された感光ドラム１２の表面に照射される。これにより、感光ドラム１２上に静電潜像が形成され、この後、感光ドラム１２上に形成された静電潜像は、現像器１４により現像され、トナー像となる。
【００２７】
また、このようなトナー像形成動作と並行して給紙カセット３２、又は給紙デッキ３０に収納されたシートＳがシート給送装置３４〜３７により１枚ずつ分離されて送り出され、レジストローラ対８１に達すると、或は手差し給紙ユニット１０２から手差しされたシートＳがレジストローラ対８１に達すると、このレジストローラ対８１により先端が揃えられる。
【００２８】
そして、このようにレジストローラ対８１により先端が揃えられたシートＳは、この後、所定のタイミングで感光ドラム１２と転写帯電器１９とにより構成される転写部に搬送され、この転写部において感光ドラム１２の表面に現像されたトナー像が転写される。この後、トナー像が転写されたシートＳは分離帯電器２０により感光ドラム１２から分離され、搬送部２１により定着器２２に搬送される。
【００２９】
次に、このように定着器２２に搬送されたシートＳは、定着器２２において加熱、加圧されることにより、トナー像が永久定着される。そして、このようにしてトナー像が定着された後、シートＳは排出ローラ２４により排出トレイ２５に排出される。
【００３０】
ところで、図２において、１０１はシート搬送装置１Ｅのシート搬送部の一部を構成する搬送ガイドユニットであり、この搬送ガイドユニット１０１には、レジストローラ対８１と、手差し給紙ユニット１０２から搬送されるシートＳをレジストローラ対８１に送り込む搬送ローラ５５等が設けられている。また、この搬送ガイドユニット１０１はシート搬送装置本体と一体である装置本体１Ａに着脱可能に取り付けられており、ジャムしたシートＳの処理を行う場合には、図３の（ａ）に示すように押し込まれた状態の搬送ガイドユニット１０１を、（ｂ）に示すように装置本体（シート搬送装置本体）１Ａから引き出すようにしている。
【００３１】
図１は、このような搬送ガイドユニット１０１の詳細を説明する図であり、同図において、１１０、１１１はシート給送部１Ｄと画像形成部１Ｃとの間のシート搬送路Ｒの下部シートガイド面及び上部シートガイド面を形成する搬送下及び搬送上ガイドである。
【００３２】
ここで、第１ガイド部材である搬送下ガイド１１０には手差し給紙ユニット１０２及びレール部１１０ａが設けられており、このレール部１１０ａと装置本体１Ａに固定されているレール１１９とを係合させることにより、搬送ガイドユニット１０１は装置本体１Ａにスライド自在に、かつ引き出し可能に保持されるようになっている。
【００３３】
また、搬送下ガイド１１０には、シート搬送手段の一例であるレジストローラ対８１を構成する、表面にゴムローラを圧入したレジスト下ローラ８１ａが設けられており、このレジスト下ローラ８１ａには、第２ガイド部材である搬送上ガイド１１１に設けられ、金属ローラもしくはポリアセタール樹脂圧入ローラによって構成されるレジスト上ローラ８１ｂとが加圧手段である引っ張りバネ１１４により約２０〜３０Ｎ程度の大きさの圧力で圧接している。
【００３４】
さらに搬送下ガイド１１０には、レジストローラ対８１にシートＳを搬送するための搬送ローラ１１６が設けられており、この搬送ローラ１１６には、搬送上ガイド１１１に設けられたコロ１１５が不図示の圧縮バネによって圧接している。
【００３５】
ところで、搬送上ガイド１１１は、搬送ガイドユニット１０１を引き出した状態のとき、後述する図４に示すように上方に回動（移動）させることができるようになっている。また、搬送上ガイド１１１のレジストローラ対側端部にはカム部１１１ｃが設けられている。
【００３６】
ここで、このカム部１１１ｃはレジストローラ対８１の加圧力を解除するための離間手段を構成するものであり、搬送上ガイド１１１を上方回動させると、搬送上ガイド１１１の搬送下ガイド１１０との当接部に設けられたカム部１１１ｃは搬送下ガイド１１０に作用し、これにより搬送上ガイド１１１は、このカム部１１１ｃを支点として上方回動するようになっている。
【００３７】
そして、このようにカム部１１１ｃを支点として搬送上ガイド１１１が上方回動することにより、搬送上ガイド１１１を上方回動させると、引っ張りバネ１１４によりレジスト下ローラ８１ａに圧接しているレジスト上ローラ８１ｂが引っ張りバネ１１４に抗してレジスト下ローラ８１ａから離間するようになっている。
【００３８】
これにより、ジャムシートがレジストローラ対８１の間にある場合でも、搬送上ガイド１１１を上方回動させれば、ジャムシートを簡単に取り出すことができるようになる。なお、この機構は図中奥方向にも設けられている。
【００３９】
また図１において、１１７は搬送下ガイド１１０に設けられたフックであり、このフック１１７は搬送上ガイド１１１に形成された係合部１１１ａと係合して搬送上ガイド１１１の上方回動を規制するものである。
【００４０】
なお、このフック１１７は上下方向に延びたガイド溝１１７ｃを有しており、このガイド溝１１７ｃに搬送下ガイド１１０の側方に突設されたボス１１０ｂを挿通することにより搬送下ガイド１１０に対し、ボス１１０ｂを支点として回動可能に、かつ上下方向に延びたガイド溝１１７ｃに沿って上下方向に移動可能となっている。
【００４１】
また、このフック１１７は、一端が搬送下ガイド１１０に係止された付勢手段である引張りバネ１１８により図中矢印方向、即ち係合部１１１ａとの係合を解除する方向に付勢されている。なお、このように引張りバネ１１８により図中矢印方向に付勢された場合でも、フック１１７は引張りバネ１１８に抗して上方に移動しない限りは搬送上ガイド１１１の係合部１１１ａと係合する位置を保つように構成されている。
【００４２】
さらに、同図において、１１９ａはレール１１９の上面に形成された凸部であり、搬送ガイドユニット１０１を引き出す際、或は押し込む際、フック１１７の下端部１１７ａはこの凸部１１９ａに当接するようになっている。
【００４３】
ここで、搬送ガイドユニット１０１を引き出す際、下端部１１７ａが当接部である凸部１１９ａに当接すると、フック１１７はボス１１０ｂを支点として時計回りの方向に回動すると共に、凸部１１９ａの形状によりボス１１０ｂに沿って上昇する。そして、このようにフック１１７が上昇すると、係合部１１１ａと係合する力が減少し、さらにこのように係合力が減少すると、フック１１７は引張りバネ１１８により時計回りの方向に回動し、この結果、係合部１１１ａとの係止が解除される。
【００４４】
また、搬送ガイドユニット１０１が押し込まれる際、下端部１１７ａが凸部１１９ａに当接すると、フック１１７は引張りバネ１１８に抗してボス１１０ｂを支点として反時計回りの方向に回動し、係合部１１１ａと係止するようになっている。そして、この後、搬送ガイドユニット１０１がさらに押し込まれると、係合部１１１ａを介して搬送上ガイド１１１を搬送下ガイド１１０の方向に押圧するようになっている。
【００４５】
なお、１１１ｂは搬送上ガイド１１１に設けられたスペーサであり、搬送ガイドユニット１０１が装置本体１Ａに装着されている状態のとき、このスペーサ１１１ｂが搬送下ガイド１１０に当接することにより、搬送上ガイド１１１と搬送下ガイド１１０との間のギャップ、即ちシート搬送路Ｒの高さ方向の幅を確保することができるようになっている。
【００４６】
次に、このように構成された搬送ガイドユニット１０１の押し込み及び引き出しの際のフック１１７の動作について説明する。
【００４７】
図４は搬送ガイドユニット１０１が装置本体１Ａに装着されていない状態を表している。この状態ではフック１１７は、搬送上ガイド１１１（の係合部１１１ａ）と係合していないため、搬送上ガイド１１１は自由に上方に開放回動することができる。
【００４８】
ここで、このように搬送上ガイド１１１を上方回動させるとき、搬送上ガイド１１１は、最初レジスト上ローラ８１ｂを支点として、後はカム部１１１ｃを支点として回動する。そして、このようにカム部１１１ｃを支点として搬送上ガイド１１１が上方回動すると、カム部１１１ｃの形状に応じた高さまでレジスト上ローラ８１ｂが持ち上げられレジストローラ対８１の押圧力の解除が行われる。これにより、レジストローラ対８１に挟持されたシートＳを簡単に取り除くことができる。
【００４９】
次に搬送ガイドユニット１０１を装置本体内に押し込むと、まず図５の（ａ）に示すようにレール１１９に形成された凸部１１９ａとフック１１７の下端部１１７ａとが当接し、引っ張りバネ１１８に抗してフック１１７が図中矢印方向（反時計回りの方向）に回動する。
【００５０】
これにより、図５の（ｂ）に示すように搬送上ガイド１１１上の係合部１１１ａにフック１１７の係止爪１１７ｂが係合し、さらにこの後、搬送ガイドユニット１０１が押し込まれると、フック１１７がさらに回動し、これにより搬送下ガイド１１０が矢印に示すように下方に押圧される。
【００５１】
ここで、このように搬送下ガイド１１０が押圧されると、搬送上ガイド１１１の凸部１１１ｂが搬送下ガイド１１０と突き当たるようになる。これにより、搬送上ガイド１１１と搬送下ガイド１１０との間のギャップが確保されると共に、搬送上ガイド１１１のカム部１１１ｃが作用しなくなるので、レジスト下ローラ８１ａとレジスト上ローラ８１ｂとが引っ張りバネ１１４により約２０〜３０Ｎ程度の大きさの圧力で圧接するようになる。
【００５２】
なお、この後、さらに搬送ガイドユニット１０１が押し込まれると、フック１１７は、ボス１１０ｂに沿って上方に移動しながら凸部１１１ｂを通過し、通過後は、係止爪１１７ｂを支点として下方に移動し、図１に示す所定の位置まで移動する。なお、このとき引っ張りバネ１１８のバネ力によりフック１１７は、下方に引っ張られており、この引張力により係合部１１１ａとの係合状態が維持される。
【００５３】
一方、搬送ガイドユニット１０１を引き出す場合、搬送ガイドユニット１０１を装置本体１Ａの外方に引き出すと、フック１１７は凸部１１１ｂに当接した後、凸部１１１ｂの形状によりボス１１０ｂに沿って上方に移動する。そして、このように上方に移動すると、係合部１１１ａとの係合力が弱まるようになり、この結果、フック１１７は上方に移動しながら引っ張りバネ１１８により時計回りに回転し、図４に示すように係合部１１１ａとの係合が解除される。
【００５４】
このように、搬送ガイドユニット１０１を引き出す際には、フック１１７を凸部１１１ｂに当接させて係合部１１１ａに係合する位置から係合を解除する位置に移動させ、搬送ガイドユニット１０１を押し込む際には、フック１１７を凸部１１１ｂに当接させて係合を解除する位置から係合部１１１ａに係合する位置に戻すようにすることにより、簡単な構造で搬送下ガイド１１０に搬送上ガイド１１１を押圧させることができる。これにより、シート搬送装置１Ｅだけでなく装置本体１Ａの小型化、コストダウン、操作性の向上等が可能となる。
【００５５】
つまり、本実施の形態のように、フック１１７と係合部１１１ａとにより構成される押圧手段により搬送上ガイド１１１を押圧することにより、押圧手段を搬送ガイドユニット内に設けることができ、ユニット外に押圧手段を配置する場合に比べて、装置の小型化が可能となる。
【００５６】
さらに、ユニット内で搬送上ガイド１１１の押圧及び押圧解除を行うことができるため、引出しの操作による負荷変動が少なくなり、搬送ガイドユニット１０１の引出し操作性が向上する。これにより、ベアリング入りスライドレールを用いなくとも通常のレール構成にて着脱機構を実現することが可能となり、コストダウンが可能となる。
【００５７】
また、押圧手段をフック１１７と係合部１１１ａとにより構成しているので、頑強なステー類を必要とせず、装置のコストダウンを図ることができる。さらに、フック１１７に上下方向に延びたガイド溝１１７ｃを設け、このガイド溝１１７ｃに沿ってフック１１７が上下方向に移動するようにしたので、押圧力を安定させて発生させることができると共に、部品のばらつきによる押圧不良やフック１１７の破損を防止することができる。
【００５８】
なお、これまでの説明においては、搬送下ガイド１１０にフック１１７を、搬送上ガイド１１１に係合部１１１ａを設けた場合について述べてきたが、本発明はこれに限らず、搬送上ガイド１１１上にフック１１７を、搬送下ガイド１１０に係合部１１１ａを設けるようにしても良い。
【００５９】
また、シート搬送路Ｒを開放する際には、搬送上ガイド１１１を上方回動させるようにした場合について述べてきたが、状況によっては搬送下ガイド１１０を下方回動させてシート搬送路Ｒを開放するようにしても良い。
【００６０】
さらに、これまではシート搬送手段として、レジストローラ等のローラを用いた場合について述べてきたが、シート搬送手段として搬送ベルトを用いるようにしてもよい。さらに、これまでは、レジストローラ及び手差給紙ユニットを含む複合搬送ユニットについて説明したが、両面印刷時の再給紙（両面）搬送ガイドユニットや画像読み取り装置に適用してもよいことはいうまでもない。
【００６１】
【発明の効果】
以上説明したように、シート搬送部を引き出す際には、第１ガイド部材又は第２ガイド部材に設けられたフックを、第１ガイド部材又は第２ガイド部材の他方に設けられた係合部との係合を解除する位置に移動させ、シート搬送部を押し込む際には、フックを係合を解除する位置から係合部に係合する位置に戻すようにすることにより、簡単な構造で第１ガイド部材に第２ガイド部材を押圧することができる。
【図面の簡単な説明】
【図１】本発明の実施の形態に係るシート搬送装置のシート搬送部の一部を構成する搬送ガイドユニットの詳細を説明する図。
【図２】上記シート搬送装置を備えた画像形成装置の一例である複写機の概略構成を示す図。
【図３】上記搬送ガイドユニットを押し込んだとき及び引き出したときの状態を示す図。
【図４】上記搬送ガイドユニットを引き出したときのフックの状態を示す図。
【図５】上記搬送ガイドユニットを押し込むときのフックの状態を示す図。
【符号の説明】
１        複写機
１Ａ      装置本体
１Ｃ      画像形成部
１Ｅ      シート搬送装置
８１      レジストローラ対
１０１    搬送ガイドユニット
１１０    搬送下ガイド
１１１    搬送上ガイド
１１１ａ  係合部
１１１ｃ  カム部
１１４    引っ張りバネ
１１７    フック
１１７ｃ  ガイド溝
１１８    引張りバネ
１１９ａ  凸部
Ｒ        シート搬送路
Ｓ        シート
【図１】
2004149301.tif 000003
【図２】
2004149301.tif 000004
【図３】
2004149301.tif 000005
【図４】
2004149301.tif 000006
【図５】
2004149301.tif 000007